(57)【要約】      （修正有）【課題】レイアウトの自由度と意匠性の向上を図るとともに、容易に組み立てと解体作業が可能な小断面集成材によるブロックとその組み立て方法を提供する。【解決手段】小断面集成材ブロック１、５は、木口面の一方に凹型継手部、他方に凸型継手部１０を有し、緊結具（ボルト）１５、緊結具（ナット）１６を挿入できる長穴１４を有する連結部材１３により、継手部の中央に有する貫通孔１１を介して緊結することで、長さ方向への連結を可能としている。また、該集成材ブロックの両積層面に形成した溝部１２に、小片材１７を嵌合させることにより、ブロックどうしの水平方向のずれと落ち込みを抑制しつつ自由なスリット幅を設けることができると同時に、高さ方向への積み上げを可能としている。さらに、両継手部の長さ寸法を該ブロックの高さ方向の寸法と同サイズとすることで、小断面集成材ブロックどうしの垂直方向への連結を可能とする。【選択図】図１０
2009191596.tif 000002
【特許請求の範囲】
【請求項１】
小断面集成材ブロックの木口面に設けた凹型継手部を他の小断面集成材ブロックの凸型継手部に嵌合させて長さ方向や垂直方向へ連結し、該ブロックの積層面の溝に挿入した数個の小片材の上に他の小断面集成材ブロックの溝を挿入し任意の高さ方向への積み上げ、これらを２枚の連結部材で挟み込み緊結具で固定することで、任意の構築物の組み立てを可能とした部材形状とその方法。
【請求項２】
請求項１記載の小片材は、小断面集成材ブロックに設けた溝部に挿入した際に、平面視長辺の面を構成する２辺が溝部外周側の側面と接し、反対側の平面視長辺の１面が溝部内周側の側面と接することで、自重による鉛直荷重及び衝撃や小断面湾曲集成材ブロックのはね戻りによる水平荷重を抑制する強度性能を確保しつつ、高さ方向への連結を可能とするとともに、高さ寸法を変化させることで、構築物に任意のスリット幅を設けることを可能とした小片材の形状及び構築物の組み立て方法。
【発明の詳細な説明】
【技術分野】
【０００１】本発明は、パーティションや建築物内の間仕切り壁等の構築物について、容易な組み立てとレイアウトの自由度向上を可能とするための小断面集成材によるブロックとその組み立て方法に関するものである。
【背景技術】
【０００２】オフィス等では、個人の執務空間や会議室等をパーティションによって区画することが日常的に行われている。しかし、現在使用されているパーティションの多くは、大きなパネルを複数枚並べることで執務空間等を区切っているため、レイアウトの構成に制約がある。また、従来のパーティションは、パネルの素材がスチールや樹脂製で、かつ、形状が矩形である製品が多いことから、空間が硬く冷たい印象となってしまうといった問題がある。【０００３】このため、従来のパーティションには、レイアウトの自由度向上を図るため、パネルを構成する材料を細分化しているものがある（例えば特許文献１、２参照）。また、空間に柔らかさや温もりを創出するため、パネルの素材に木材を使用したり、湾曲形状のパネルを採用しているものがある（例えば特許文献２、３参照）。【０００４】
【特許文献１】特開２００２−１６１６０２号公報
【特許文献２】特開２００６−２０７３４０号公報
【特許文献３】特開２００６−３１６４９９号公報
【０００５】また、パーティションによって区切られた個人の執務空間や会議室は、閉鎖的な印象となり周囲とのコミュニケーションが図りにくくなるばかりでなく、パーティション内の様子が全く見えないため、在席や在室の確認をすることが非常に困難である。【０００６】このため、従来のパーティションには、パネルの素材にガラスやアクリル樹脂等の透光性を有する材料を採用しているものがある（例えば特許文献４、５参照）。また、パネルを構成する材料の間隔を開け、スリットを設けているものがある。【０００７】
【特許文献４】特開２００６−００２３９８号公報
【特許文献５】特開２００６−２４９８３５号公報
【０００８】一方、建築物の間仕切り壁は、木材や軽量鉄骨等で組んだ桟木に、合板や石膏ボード等の下地材を取り付け、その上にビニールクロスなどの仕上げ材を張り付けている。このため、部材点数と作業工程が多くなるとともに、各作業で専門技術が必要となるため、材料や施工に伴う経費が高価になるという問題がある。【０００９】このため、従来の間仕切り壁には、壁を構成する面材が下地材と仕上げ材を兼ねるような部材を使用して施工されている。
【発明の開示】
【発明が解決しようとする課題】
【００１０】従来の方法では、パーティションのレイアウトの自由度を向上するため、パネルを構成する部材を細分化しているケースが見られるが、この場合、部材数が多くなり組み立て作業やレイアウトの変更に伴う作業が煩雑となる。さらに、細分化した部材の組み立てを容易にする方策として、部材どうしの嵌合精度に余裕を持たせて加工したり、緊結具を使用せずに組み立てるケースもあるが、この場合、構築物の強度性能に問題がある。【００１１】一方、パーティションにより室内空間に柔らかさや温もりを創出するため、パネルを構成する部材に木材を使用した場合、設置後の木材の変形や狂いなどにより隙間やゆがみ等が生じたり、加工手間がかかるために部材の製造費が高価になるといった問題がある。また、同様の目的で湾曲形状の面材を使用した場合、限られた大きさや形状で構築するため、レイアウトの構成に制約がある。【００１２】パーティションによる閉鎖的な空間を改善するため、設置時に透光性のある材質やスリットを採用した場合、透光部やスリットの位置、大きさ等を任意に調整することが困難である。【００１３】本発明は、上記のような従来技術が有していた、意匠性や品質、レイアウトの制限、作業手間等の課題を解決しようとするものであり、変形や狂いなどが少ない木質材料である小断面集成材を用いることで、羽目板のような意匠と温もりや柔らかさを感じさせる意匠を有するとともに、組み立て作業が容易でレイアウトの自由度が高いパーティションや間仕切り壁を構築することが可能な小断面集成材によるブロックとその組み立て方法を提供することを目的とする。
【課題を解決するための手段】
【００１４】上記の課題を解決するために、本発明におけるパーティションや間仕切り壁を構築するためのブロックは、小断面集成材を採用することにより変形や狂いなどが軽減されることから、製品の品質向上が図られるとともに、木材特有の温もりや柔らかさを有した意匠とすることが可能となる。【００１５】本発明における小断面集成材によるブロックは、木口面の一方に凹型継手部、他方に凸型継手部を有し、該両継手部は互いに嵌合し連結部材を介して緊結することで、長さ方向への連結を可能としている。また、該ブロックは積層面の両面に有した溝に任意の高さの小片材を嵌め込むことで、自由な高さのスリット幅を設けるとともに、高さ方向への積み上げや透光性のあるアクリルパネルやガラス等の異種材料を嵌めることを可能としている。【００１６】さらに、上記継手部の長さ寸法はブロックの高さ方向の寸法と同サイズとすることで、ブロックどうしの垂直方向への連結も可能としている。
【発明の効果】
【００１７】本発明は、パーティションなどの構築物をパネル単位ではなく、小断面集成材によるブロック単位とすることにより、構築物のレイアウトの自由度向上が図られるとともに、長さ方向や高さ方向、垂直方向への組み立て方法を容易にすることで、設置作業や解体作業の負担を大幅に軽減することが可能となる。【００１８】湾曲した小断面集成材の採用により、湾曲形状が有する特徴的な意匠となるため、空間全体の装飾性が大幅に向上するとともに、通常は複雑な形状となる構築物のコーナー部の接合が不要となるため、部材の製造や構築物の設置作業の負担が大幅に軽減される。
【発明を実施するための最良の形態】
【００１９】以下、図面を参照しながら本発明の実施の形態について説明する。【００２０】小断面通直集成材ブロック図１は、通直の小断面集成材であり、木口面の一側面に凹型継手部９、反対の一側面に凸型継手部１０が形成されている。これらの継手部９、１０は、小断面集成材ブロックの高さ寸法と同一の長さであるため、水平方向、垂直方向のいずれにおいても同ブロックどうしが互いに嵌合する形状であるとともに、中央部には緊結具（ボルト）１５が通る直径の貫通孔１１を有している。さらに、小断面通直集成材ブロックの積層面には、長さ方向の全長にわたって溝部１２が形成されている。【００２１】小断面湾曲集成材ブロック図４は、湾曲した小断面集成材であり、上記の小断面通直集成材ブロックと同様の継手部９、１０と貫通孔１１、溝部１２が形成されている。該ブロックは湾曲形状であるが、継手部９、１０は嵌合精度を確保するために、曲率を設けずに形成されている。【００２２】端部用小断面集成材ブロック図２、図３、図６、図７は、木口面の一側面に凹型継手部９、あるいは凸型継手部１０が形成されている。この継手部は、他の小断面集成材ブロックと水平方向、垂直方向のいずれにおいても互いに嵌合する形状であるとともに、中央部には緊結具１５が通る直径の貫通孔１１を有している。該ブロックは構築物の端部に使用するため、長さ方向の連結が片端のみであり、反対の一側面は継手部を必要としないことから、意匠性の向上とともに部材加工の負担を軽減するため、フラットな形状としている。さらに、積層面の両側には、長さ方向の全長にわたって溝部１２が形成されている。【００２３】端部用小断面集成材ブロック図４、図８は、長さ方向の連結を必要としない構築物を組み立てる場合に使用するブロックとし、継手部９、１０を形成せずに木口面の両端をフラットな形状とし、意匠性の向上と部材加工の軽減を図っている。【００２４】小断面集成材ブロックは、上記に示す種類のほか木口面の両端の継手部が凹型あるいは凸型の同一形状であるものもバリエーションとして考えられる。【００２５】小断面集成材ブロックの長さ方向の組み立て方法は、図９（ａ）、（ｂ）のように、凹型継手部９と他の小断面集成材ブロックの凸型継手部１０とを貫通孔１１が同位置になるように組み合わせ、この部分に支柱を兼ねた２枚の連結部材１３を両面から挟み、長穴１４及び貫通孔１１を介して、外部から挿入した緊結具（ボルト）１５を緊結具（ナット）１６と結合することにより、小断面集成材ブロックどうしを長さ方向に連結することが可能である。また、構築物の端部に位置する部分については、端部用小断面集成材ブロック図２、図３、図６、図７を使用して同様に組み立てることが可能である。【００２６】小断面集成材ブロックの高さ方向の組み立て方法は、図９（ｃ）のように、小断面集成材ブロックの積層面に設けた溝部１２の上部に数個の小片材１７を挿入した後、これらの小辺材１７に、他の小断面集成材ブロックの下部の溝部１２を挿入しながら、上記で連結した小断面集成材ブロックの上に積み上げ、連結部材１３の長穴１４及び貫通孔１１を介して、外部から挿入した緊結具（ボルト）１５を緊結具（ナット）１６と結合することにより、小断面集成材ブロックどうしを高さ方向に積み上げることが可能である。【００２７】連結部材１３は、長穴１４を有しているため、小断面集成材ブロックの幅や小片材１７の高さを変更し、緊結具１５、１６により任意の高さで固定することによって、構築物に任意のスリット幅を設けることが可能である。【００２８】高さ方向に積み上げる際に使用する数個の小片材１７は、ブロックどうしの水平方向のずれと高さ方向の落ち込みを抑制する機能と任意幅のスリットを設ける機能とを有する。また、小片材１７は接着剤や緊結具等によって固定しないため、レイアウトの変更や解体作業を容易に行うことが可能である。このように、小断面集成材ブロックを長さ方向に連結し、高さ方向に積み上げることにより、任意の構築物を組み立てることが可能である。【００２９】溝部１２は、小片材１７の他、アクリル樹脂やガラス等の透光性を有する材料や面形状の異種材料による小片材を嵌め込んで固定することも可能である。【００３０】小断面集成材ブロックの垂直方向の組み立て方法は、図１０（ａ）、（ｂ）のように、凹型継手部９と凸型継手部１０とを貫通孔１１が同位置になるように垂直に組み合わせ、この部分に支柱を兼ねた２枚の連結部材１３を両面から挟み、長穴１４及び貫通孔１１を介して、外部から挿入した緊結具（ボルト）１５を緊結具（ナット）１６と結合することにより、小断面集成材ブロックどうしを垂直方向に連結することが可能である。【００３１】本発明による各部材及び部位の寸法は、構築物の強度性能や施工性、各種材料の加工作業に配慮し、それぞれ下記の寸法とする。【００３２】小断面集成材ブロック１〜８の木口面の両面あるいは一側面に位置する凹凸型継手部９、１０は、連結部材１３を介して小断面集成材ブロックを長さ方向、垂直方向に連結した状態で構築物の強度性能を保つ必要があることから、凹部の間隔と凸部の厚さ寸法は、小断面集成材ブロックの厚さの１／４〜１／３とし、長さ寸法は、小断面集成材ブロックの高さ寸法と同一かつ連結部材の幅寸法以下とする。【００３３】凹凸継手部９、１０の中央部に位置する貫通孔１１は、強度性能と作業性の確保を考慮し、直径寸法を緊結具（ボルト）１５の直径寸法に１．０ｍｍ以上２．０ｍｍ以内を加えた寸法とする。【００３４】小断面集成材ブロック１〜８の積層面の長さ方向の全長にわたって形成される溝部１２は、小片材１７を挿入し、小断面集成材ブロック１〜８を高さ方向へ積み上げた状態で構築物の強度性能を確保する必要があることから、その幅寸法は小断面集成材ブロックの厚さ寸法の１／４〜１／３で凹凸継手部９、１０と同一とする。また、その深さ寸法は、小片材１７の転倒と脱落を防ぐ必要があることから５ｍｍ以上、かつ、小断面集成材ブロック１〜８の高さ寸法から凹凸継手部９、１０の長さを引き、２で除した寸法以下とする。【００３５】小断面集成材ブロック１〜８を高さ方向に積み上げる際に使用する小片材１７は、直方体の形状を成しており、溝部１２内で転倒せず、上部に積み上げる小断面集成材ブロック１〜８の荷重及び水平方向の衝撃や湾曲材である小断面湾曲集成材ブロック５〜８のはね戻りを抑制する強度性能を有するとともに、該集成材ブロックの変形により溝部１２の幅間隔が狭くなった場合でもブロックどうしの組み立てと解体が容易な嵌合度を有する形状とする。【００３６】小片材１７は、平面視長辺の面を構成する２辺が小断面湾曲集成材ブロックに設けた溝部の外周側の側面と接し、反対側の平面視長辺の面が小断面湾曲集成材ブロック５〜８に設けた溝部１２の内周側の側面と接している。このように、小片材１７の２辺と１面が小断面湾曲集成材ブロック５〜８の溝部１２と接触し嵌合することで、各材料が必要な強度を確保しながら連結する仕組みとなっている。【００３７】小片材１７の平面寸法は、小断面湾曲集成材ブロック５〜８の曲率によって変化させる必要があるが、インテリア用の構築物を組み立てる場合に必要となる小断面湾曲集成材ブロック５〜８に想定される曲率半径７００ｍｍから２，０００ｍｍの範囲においては、小片材１７の幅寸法を５０ｍｍ〜１００ｍｍとし、厚さ寸法を溝部１２の幅寸法より１．７〜２．０ｍｍを引いた特定寸法とすることで、構築物の強度性能と部材どうしの嵌合度を確保しつつ、製造や構築物の組み立て、解体時の作業が容易に可能となる。【００３８】小片材１７は、組み立てや解体作業を考慮した嵌合度としているが、木材が変形し溝部１２の幅間隔が狭くなった場合の解体を可能とするため、その中央部に貫通孔（取手）１８を設けている。貫通孔（取手）１８は、積み上げた小断面集成材ブロック１〜８を解体する際の小片材１７の取り外し時に、取手のように指をあてがうか、あるいはドライバーなどの先端が細い工具を貫通孔（取手）１８に差し込んだ状態で引き上げることにより、解体時の作業性を向上するものである。【００３９】連結部材１３は、小断面集成材ブロック１〜８の長さ方向、垂直方向、高さ方向への連結の全てを担う部材であることから、構築物全体の強度性能を確保するとともに、緊結具（ボルト）１５と緊結具（ナット）１６で固定する際の施工性や完成後の意匠性を考慮し、その厚さ寸法を小断面集成材ブロック１〜８の厚さ寸法の１／４〜１／３以上、かつ、１５ｍｍ以下の範囲で部材の加工性や材料の入手の容易性等を考慮した寸法とする。また、連結部材１３の幅寸法は中央部に位置する長穴１４の幅寸法の３倍以上とする。【００４０】連結部材１３の中央部に位置する長穴１３は、その幅寸法を緊結具（ボルト）１５、緊結具（ナット）１６の直径寸法に１．０ｍｍ以上２．０ｍｍ以内を加えた寸法かつ貫通孔１１の直径寸法以上とする。【００４１】緊結具（ボルト）１５、緊結具（ナット）１６は、２枚の連結部材１３と小断面集成材ブロック１〜８を貫通させて緊結し、その直径は、構築物全体の強度性能を確保する寸法とする。【００４２】図１１に例示するパーティションは、小断面湾曲集成材ブロックを採用したことにより、湾曲材が持つ特有の柔らかさと斬新なデザインを構築物に表現することが可能となるとともに、通常は複雑な形状となるコーナー部の接合が不要となるため、部材加工や組み立て、解体作業の省力化を図ることが可能となる。また、ブロックの高さ方向の間隔を変化させて積み上げたり、溝部１２に異種材料を嵌め込むことが可能であるとともに、２方向へ分割して延長することも可能であるため、設置者のニーズや設置スペースに合わせて、多彩なレイアウトで組み立てることが可能である。【００４３】図１２に例示する衝立の構築は、部材の加工手間と意匠性に配慮し、両側の木口面の仕上げをフラットとした端部用小断面湾曲集成材ブロック図８を使用し、支柱を兼ねた２枚の連結部材１３を表裏から挟むことで、１枚のパネル形状の衝立を構築することが可能である。また、小断面湾曲集成材ブロックを床面に接地するように配置することにより、別途、転倒防止用の支えを使用せずに自立可能な衝立を構築することが可能である。【００４４】図１３に例示する出隅部の間仕切り壁の構築にあたっては、上記に記載した組み立て方法により、各種建築物に適した長さや高さで壁面を構築し、公知の方法により天井と床に固定することが可能である。また、スリットが不要な間仕切り壁の場合は、小片材１７の上下に配置される小断面集成材ブロックの溝部１２の総深さと小片材１７の高さ寸法を一致させることで、スリットを設けずにブロックどうしの水平方向のずれを抑制する機能を具備することが可能である。【００４５】図１４に例示する天井付会議用ブースの構築にあたっては、上記に記載した長さ方向と高さ方向への連結に加え、小断面集成材ブロックを垂直方向へ連結することにより、天井を設けることが可能である。【００４６】本発明による小断面集成材ブロックは、上記のような構成によりブロックどうしを長さ方向や垂直方向に連結し、高さ方向に積み上げていくことで、任意の長さや高さ、スリット幅を設けたパーティションや間仕切り壁等の構築物を組み立てることが可能である。
【図面の簡単な説明】
【００４７】
【図１】本発明の一実施形態において、（ａ）は木口面に凹型継手部と凸型継手部を有する通直の小断面集成材によるブロック（小断面通直集成材ブロック）を示す正面図、（ｂ）は平面図、（ｃ）はその斜視図である。
【図２】本発明の一実施形態において、（ａ）は木口面の一方のみに凸型継手部を有する端部用小断面通直集成材ブロックを示す正面図、（ｂ）は平面図、（ｃ）はその斜視図である。
【図３】本発明の一実施形態において、（ａ）は木口面の一方のみに凹型継手部を有する端部用小断面通直集成材ブロックを示す正面図、（ｂ）は平面図、（ｃ）はその斜視図である。
【図４】本発明の一実施形態において、（ａ）は木口面に継手部を有しない小断面通直集成材ブロックを示す正面図、（ｂ）は平面図、（ｃ）はその斜視図である。
【図５】本発明の一実施形態において、（ａ）は木口面に凹型継手部と凸型継手部を有する湾曲の小断面集成材によるブロック（小断面湾曲集成材ブロック）を示す正面図、（ｂ）は平面図、（ｃ）はその斜視図である。
【図６】本発明の一実施形態において、（ａ）は木口面の一方のみに凸型継手部を有する端部用小断面湾曲集成材ブロックを示す正面図、（ｂ）は平面図、（ｃ）はその斜視図である。
【図７】本発明の一実施形態において、（ａ）は木口面の一方のみに凹型継手部を有する端部用小断面湾曲集成材ブロックを示す正面図、（ｂ）は平面図、（ｃ）はその斜視図である。
【図８】本発明の一実施形態において、（ａ）は木口面に継手部を有しない小断面湾曲集成材ブロックを示す正面図、（ｂ）は平面図、（ｃ）はその斜視図である。
【図９】（ａ）、（ｂ）、（ｃ）は、小断面集成材ブロックを長さ方向に連結し高さ方向に積み上げる過程を示す説明図である。
【図１０】（ａ）、（ｂ）は、小断面集成材ブロックを垂直方向に連結する過程を示す説明図である。
【図１１】本発明に係る小断面集成材ブロックによる一実施形態において、ブロックを長さ方向に連結し高さ方向に積み上げたローパーティションを示す斜視図である。
【図１２】本発明に係る小断面湾曲集成材ブロックによる一実施形態において、ブロックを積み上げたパネルを単体で使用した衝立を示す斜視図である。
【図１３】本発明に係る小断面集成材ブロックによる一実施形態において、ブロックを長さ方向に連結し高さ方向に積み上げた建築物内の間仕切り壁を示す斜視図である。
【図１４】本発明に係る小断面集成材ブロックによる一実施形態において、ブロックを垂直方向に連結し天井を設けた会議室用ブースを示す斜視図である。
【符号の説明】
【００４８】１  小断面通直集成材ブロック
２  端部用小断面通直集成材ブロック（凸型継手）
３  端部用小断面通直集成材ブロック（凹型継手）
４  端部用小断面通直集成材ブロック（継手なし）
５  小断面湾曲集成材ブロック
６  端部用小断面湾曲集成材ブロック（凸型継手）
７  端部用小断面湾曲集成材ブロック（凹型継手）
８  端部用小断面湾曲集成材ブロック（継手なし）
９  凹型継手部
１０  凸型継手部
１１  貫通孔
１２  溝部
１３  連結部材
１４  長穴
１５  緊結具（ボルト）
１６  緊結具（ナット）
１７  小片材
１８  貫通孔（取手）
【図１】
2009191596.tif 000003
【図２】
2009191596.tif 000004
【図３】
2009191596.tif 000005
【図４】
2009191596.tif 000006
【図５】
2009191596.tif 000007
【図６】
2009191596.tif 000008
【図７】
2009191596.tif 000009
【図８】
2009191596.tif 000010
【図９】
2009191596.tif 000011
【図１０】
2009191596.tif 000012
【図１１】
2009191596.tif 000013
【図１２】
2009191596.tif 000014
【図１３】
2009191596.tif 000015
【図１４】
2009191596.tif 000016